(57)【要約】【課題】展示用ショーケースにおいて、直方体や立方体から成る立面の４面体を用いる事により、展示品の閉塞感から臨場感持たせることが出来なかった。【解決手段】リング形状の回転式ボールベアリングを基盤として、展示品の収納部分を円筒状にして、扉部分を円筒の１/２の回転扉とし、残り１/２も円筒状で、背面と側面を一体式の構造物にする事で、扉である取り出し口を奥行きのある開口部にする事で、展示作業をスムーズに行う事が出来、扉の可動時による故障が発生しない。又、立面に円筒状にする事で、鋭角のコーナーを保持しないので、移動物による、衝突を和らげる効果も生まれる。更に、展示品の閉塞感を無くして臨場感を持たせて展示品を飾る事の出来る、回転扉付ケースである。【選択図】図１
2014073189.tif 000002
【特許請求の範囲】
【請求項１】
円筒状の基台（１）とその内周下方にはリング状の転動体受けレール（２）が前記円筒
状の基台（１）の内周面に固着され、その上方には転動体（５）を介してリング状の転
動体押えレール（３）が設けられ、前記転動体受けレール（２）は前記転動体押えレー
ル（３）よりも外周は大きく、かつ内周は小さい関係を有し、前記転動体受けレール（２）
と前記転動押えレール（３）との対向面の凹部に、前記転動体（５）を敷き詰めて、回
転体を形成し、その前記転動体押えレール（３）の上方には、円筒状の接続リング（４）
とその円筒状の接続リング（４）の上には、半円筒状の透明素材からなる可動扉（６）
がそれぞれ接合されており、一方、前記転動体押えレール（３）と前記円筒状の接続リ
ング（４）と前記可動扉（６）のそれぞれの内周面に、近接して前記円形状の基台（１）
下部に固定台（７）が固設され、更に、前記固定台（７）上には、前記可動扉（６）の
内周面に近接して、透明素材からなる半円筒状の固定壁（８）を立設して、その前記固
定壁（８）の上端に円形天井（９）を設けて、半円筒状の前記可動扉（６）のみを、自
立式に固定させ、回転させた事を特徴とする回転扉付ショーケースである。
【請求項２】
前記円筒状の基台（１）の内周面に開口（１０）を有する収納庫（１３）を設け、その
収納庫内にスプリング（１１）とボール（１２）からなる前記可動扉（６）のストッパ
ーを装着し、前記ボール（１２）の一部を前記開口（１０）から前記円筒状の接続リン
グ（４）の外周にボール止め凹部（１４）からなる可動扉の停止装置を設けたことを特
徴とする請求項１に記載の回転扉付ショーケース。
【請求項３】
前記円筒状の基台（１）の内外周面を貫通する孔（１５）を設け、その前記孔（１５）
に鍵突起棒（１６）が内周方向に向くように、押し込み錠（１７）を装着すると共に前
記可動扉（６）が前記固定壁（８）に対し全閉となる円周方向の任意の部位であって、
前記円筒状の接続リング（４）の外周面に前記鍵突起棒（１６）の挿入口（１８）から
なる施錠装置を、設けたことを特徴とする、請求項１又は請求項２のいずれかに記載の
回転扉付ショーケース。
【発明の詳細な説明】
【技術分野】
【０００１】
本発明は、展示品や商品を、安全に収納、陳列して、実物の臨場感を損ねる事無く、鑑
賞出来る事を目的とした、回転扉付ショーケースの構造に関するものである。
【背景技術】
【０００２】
従来、商店やイベント会場、博物館に設置されていた陳列ケースは、四隅のコーナー
が、90度に出墨「突起」し、４本支持柱「金属」又は、立面のガラス４面体、構造で、
ガラスの突合せ工法「ガラスの小口にシリコン又は、ハイクリアーのシーリング工法や、
ＵＶ接着を用いて、ガラス同士を貼り合せる接着工法」による施工技術に留まっており、
接着部分の剥離を起しガラス小口の分離で、収納室の破損を起していた。又、鑑賞者が
ケース内の展示品を鑑賞する際、四隅のコーナーが妨げと成り、実物の臨場感を損ねて
いた。又、商品の出し入れを行う際に、扉の開閉を行うが、可動時に扉の破損やケース
の収納室を破損させる事などを、頻繁に発生させていた具体例を以下に示す。
【０００３】
商品、展示品を収納するショーケースの収納室の形状が、ガラスの左右の側面板、背面
板、扉面板、天枠面板、底板面板から成る６面体である、直方体や立方体の形状である
ために、四隅のコーナーが、90度の支持柱を有する形状にするか、ガラスとガラスの
突合せ工法でしか、構造上なし得なかったので、商品、展示物の出し入れをする際、立
面１/4の扉面からの出し入れを、余儀なくされ、収納に注意を払わないと側面板に商
品を衝突させる危険が多くあった。
【０００４】
又、ケース内に展示品を収納する際に通常は、一般的に用いられる扉の開閉装置として
其の一、ガラス扉用ヒンジを設けて、開き戸で、「放射線状に引き込みや押し込み動作
をさせる扉」の開閉をする。その場合に発生する問題点に、扉の上下に直に取り付ける
為、扉であるガラスに、捻りの負荷が掛かりヒンジの回転により徐々にガラスのたわみ
現象による波動で、扉のズレが発生して、バランスを崩し、戸先を壁に衝突させ、扉又
は、壁を破損させる原因であった。或いは、扉の荷重が回転軸であるピポットに負荷を
与え、摩耗による、不均等の捻り応力で発生すると、扉の衝突破損や扉の落下破損、扉
を支える回りのケース本体の破損、風圧で起こる扉の衝突破損、最悪の事態は、展示品
の破損も発生させていた。
ガラス扉用ヒンジとは、「扉の片側である上下に、吊元軸を設けて、支持軸の回転運動
させる金具」である。
ピポットとは、「ヒンジの一部で回転体、つまり扉と固定枠を接続して、扉の吊元を上
下一点で、支える歯軸の金具」である。
【０００５】
其の二、ガラス扉用の引違い「ガラス引戸」を設けて、ガラスの下部一辺に、ハカマを
差し込んで、ガラス引戸を設けて、水平可動の運動の開閉をする。その場合に発生する
問題点に、ガイドレールと戸車の摩耗及び、滑車の振動によって、脱線の引き起し、又
は、可動速度の微調整が効かなくなり、扉の戸先を側面に衝突させ、側板及び扉に傷や
破損を引き起こし、故障や事故を引き起こしていた。
ハカマとは、ガラスの上部もしくは、下部に、金属類で、一辺のガラス荷重を受け止
める部材で、材質はアルミニウム、ステンレス鋼、スチールを用い内蔵部に戸車を設け
て、レールの上を滑走させ水平可動させる部材である。
【０００６】
其の三、ガラス扉用の引出「ガラス引出」ケースの床にスライドレールを設けて、床及
び、扉面の側と上部に設けたガラス引出との一体物を、手前に引き出す為、床に差し込
み自立して固設された、ガラス部分を握り、扉の開閉する事により、テコの原理による
ガラスと什器の固定講とに、圧縮による捻りからのガラス引出の破損、或いは、陳列の
際に発生する衝突破損を引き起こしていた。以上の様に、上記に述べた従来の技術を使
用すると、使用頻度の差はあるが、補修を余儀なくさせる問題点が発生していた。
【０００７】
従来から円筒状のショーケースは、実開昭６１―６０７７１号公報の文献の通り、公開
されていたが、円筒状の側面部分が、開口部を保持する物で、完全密封しておらず、ケ
ースの陳列部分と外部との境界を設けておらず、全閉時状態を保持していない為に、安
易に陳列商品を取り出せてしまう欠点があった。
【先行技術文献】
【特許文献】
【０００８】
【特許文献１】特開平０８―０５６７８７号公報
【特許文献２】実開昭６１―７３５５号公報
【特許文献３】実開昭６１―６０７７１号公報
【発明の概要】
【発明が解決しようとする課題】
【０００９】
従来のショーケースは、天井、床から成る２面と、立面上で「側面が２面、背面、扉面」から成る垂直の平面で、４面を保持させていた為、四隅の角である出墨「突起」構造体から成る収納室を保持せざるを得なかった。扉の開閉を行う際に用いる構造は、其の一に、開き戸タイプでは、扉と成る面に上下ヒンジを設けて、放射状に扉を可動させる方法である。其の二に、引戸タイプでは、扉と成る上面もしくは、下面の小口に、ハカマを履かせ、内部に滑車を設けて、側面方向に平行移動して、可動させる方法である。其の三に、引出タイプでは、床にスライドレールを施し、床と側面その上部の窓ガラスとの、一体式に引出す扉の可動方法である。以上の三種類から成る、扉の開閉方法しか存在しなかった。その為に、開き戸タイプでの、扉のズレによる負荷の破損、ヒンジの不具合による捻りで、撓みよる波動で、引き起こす扉の落下や破損事故。或いは、ハカマタイプでの、扉の戸車による脱線などの故障による破損を発生させる。老朽化による、劣化で、ハカマ衝突の振動による、ガラスの接着面の剥離を発生させる。引出タイプでの、ガラスと什器の固定講とに、圧縮による捻りからのガラス引出の破損、引き起こしていた。これらの問題点を解決させる事を目的としている。
【００１０】
更に意匠面でも、陳列物を鑑賞する際に、目障りな治具（扉の鍵、扉を可動させる丁番、ハカマ）が、目に飛び込み、又、立面上で、４面体の出墨「角」あるいは、面を支える枠などで、鑑賞者に商品、展示品の閉塞感を与え、臨場感が損なわれていた。
これらの問題点を解決させる事を目的としている。
【課題を解決するための手段】
【００１１】
上記の記述を、目的達成させ解決するために、本発明のショーケースは、請求項１の発
明で、円筒状の基台（１）とその内周下方にはリング状の転動体受けレール（２）が前
記円筒状の基台（１）の円周面に固着され、その上方に転動体（５）を介してリング状
の転動体押えレール（３）が設けられ、前記転動体受けレール（２）は前記転動体押え
レール（３）よりも外周は大きく、かつ内周は小さい関係を有し、前記転動体受けレー
ル（２）と前記転動体押えレール（３）との対向面の凹部に、前記転動体（５）を敷き
詰めて、回転体を形成し、その前記転動体押えレール（３）の上方には円筒状の接続リ
ング（４）とその円筒状の接続リング（４）の上には半円筒状の透明素材からなる可動
扉（６）がそれぞれ接合されており、一方、前記転動体押えレール（３）前記円筒状の
接続リング（４）と前記可動扉（６）のそれぞれの内周面に近接して前記円形状の基台
（１）下部に固定台（７）が固設され、更に、前記固定台（７）上には前記可動扉（６）
の内周面に近接して、透明素材からなる半円筒状の固定壁（８）を立設し、その前記固
定壁（８）の上端に、円形天井（９）を設け、半円筒状の前記可動扉（６）のみを、自
立式に固定させ、回転して、ケース内の陳列物を出し入れ出来る事を特徴とする回転扉
付ショーケースである。
【００１２】
更に、請求項２の発明は、前記円筒状の基台（１）の内周面に開口（１０）を有する収
納庫（１３）を設け、その収納庫内にスプリング（１１）とボール（１２）から成る前
記可動扉（６）のストッパーを装着し、前記ボール（１２）の一部を前記開口（１０）
から押出し、前記円筒状の接続リング（４）の外周にボール止め凹部（１４）から成る
可動扉の停止装置を設け、扉の全開時及び、全閉時のいずれの位置にも、前記可動扉（６）
の回転を速やかに任意の位置に停止させる事を特徴とする回転扉付ショーケースであ
る。
【００１３】
又、請求項３の発明は、前記円筒状の基台（１）の内外周面を貫通する孔（１５）を設
け、その前記孔（１５）に鍵突起棒（１６）が内周方向に向くように押し込み錠（１７）
を装着すると共に、前記可動扉（６）が前記固定壁（８）に対し全閉となる円周方向の
任意の部位であって、前記円筒状の接続リング（４）の外周面に前記鍵突起棒（１６）
の挿入口（１８）からなる施錠装置を設けて、前記可動扉（６）の施錠機能を実施する
事が出来ることを特徴とする請求項１又請求項２のいずれかに記載の回転扉付ショー
ケースである。
【発明の効果】
【００１４】
可動扉（６）を回転扉構造にする事により、ケースの四隅の角を無くす事で、意匠面的
に展示品を鑑賞する際に、上部、或いは、側面３６０度の角度から自由に観察でき、鑑
賞対象物との閉塞感取り除き、臨場感溢れる演出が出来る。又、展示の主催者側に立っ
て商品、展示品の収納が安易に行えて、陳列時に発生する商品、展示品とショーケース
との衝突防止を解消するために、ショーケースの収納室で半筒状の固定壁（８）つまり
円筒半分の面積が開口部に成るので、速やか且つ安全に、商品、展示品の陳列作業が安
易に行う事を、重点に考慮して設計された、回転扉付ショーケースである。
【００１５】
又、ケース自体の強度を述べると、立面の４本柱、４点支持柱構造を用いないので、ガ
ラスの小口による、シリコン、ハイクリアー、ＵＶ接着の接着部分の剥離や分離破壊が、
発生しない。収納室で半筒状の固定壁（８）及び、収納室で半筒状の前記可動扉（６）
で、構成されているので、ガラスの形状が円筒状で、１/２曲げガラスの製造工程で、
半強化ガラス状態に、加工されるので、生の平板ガラスと比較すると３倍以上の強度を
保持する事が出来るので、通常仕様のショーケース形状である、直方体や立方体で発生
する衝突破損を防ぐ事が出来、陳列商品の保護が図られる。
【図面の簡単な説明】
【００１６】
【図１】本発明の斜視図で、可動扉（６）が全開時を表す。
【図２】本発明の斜視図で、可動扉（６）が半開した状態を表す。
【図３】本発明の斜視図で、可動扉（６）が全閉時を表す。
【図４】本発明の斜視図で、各部材の分解した、構造を表す。
【図５】本発明の平面図を表す。
【図６】本発明の底面図を表す。
【図７】本発明の正面図を表し、右上がりの曲線部分は、面の凹部を表すと共に、実線は、手前の固定壁（８）で、破線は、奥の可動扉（６）を表す。
【図８】本発明の背面図を表し、左上がりの曲線部分は、面の凸部を表すと共に、実線は、手前の可動扉（６）で、破線は、奥の固定壁（８）を表す。
【図９】本発明の右側面図を表し、左上がりの曲線部分は、面の凸部を表すと共に、実線は、手前の可動扉（６）で、破線は、奥の固定壁（８）を表す。
【図１０】本発明の左側面図を表し、左上がりの曲線部分は、面の凸部を表すと共に、実線は、手前の可動扉（６）で、破線は、奥の固定壁（８）を表す。
【図１１】本発明の正面断面図で、図５のＡ〜Ａ´線断面を表し、右上がりの曲線部分は、面の凹部を表すと共に、実線は、手前の固定壁（８）で、破線は、奥の可動扉（６）を表す。
【図１２】本発明の右側面断面図で、図７のＢ〜Ｂ´線断面を表し、楕円印で囲ったＥ部は、図１５で表し、円筒状の基台（１）の断面で、一部を破断した拡大図の箇所を示す。左上がりの曲線部分は、面の凸部を表すと共に、実線は、手前の可動扉（６）で、破線は、奥の固定壁（８）を表す。
【図１３】本発明の右側面断面で図７のＢ〜Ｂ´線断面の詳細図を表し、図１２の一部破断した拡大図を表す。
【図１４】本発明の（ａ）は、図６の○印で、囲ったＣ部の拡大図を示し、（ｂ）は、図６の○印で、囲ったＤ部の拡大図を示す。
【図１５】本発明で、図７のＢ〜Ｂ´線断面の詳細図の構造を表し、図１２の円筒状の基台（１）の内部構造で、楕円印で、囲ったＥ部の一部破断した拡大図を表す。
【図１６】本発明で、（ａ）は、図１５の円筒状の基台（１）で且つ、図１２の内部構造で、楕円印で、囲ったＥ部の一部、破断した拡大図を表し、上段は、円筒状の接続リング（４）中段は、転動体押えレール（２）との連結及び、転動体（５）の玉、下段は、転動体受けレール（３）と前記円筒状の基台（１）で有る、底蓋（１９）の連結の構造を表し、前記転動体（５）を境にした、分解図を表す。（ｂ）は、図１５の前記円筒状の基台（１）で、図１２の内部構造で、楕円印で、囲ったＥ部の一部、破断した拡大図を表し、前記転動体押えレール（３）の挿入口（２３）から、前記転動体（５）と成る球を一定量の敷き詰める事により、前記転動体受けレール（３）と、接合させ回転体を形成する連結図を表す。
【発明を実施するための形態】
【００１７】
図に基づいて説明する。図１.図２.図３は、本発明のショーケースであり、実施例の斜
視図で、ショーケースの土台で、円筒状の基台（１）の内部に、回転体である転動体受
けレール（２）、転動体（５）、転動体押えレール（３）を用いて、可動扉（６）に直結
している円筒状の接続リング（４）を回転可動させる事による扉の開閉を行う。又、前
記円筒状の基台（１）の内周面に開口（１０）を有する収納庫（１３）を設け、その収
納庫内にスプリング（１１）とボール（１２）からなる前記可動扉（６）のストッパー
を装着し、前記ボール（１２）の一部を前記開口（１０）から前記円筒状の接続リング
（４）の外周にボール止め凹部（１４）を設けて、前記可動扉（６）を任意の部位であ
る、開閉時の位置に停止させる。更に、前記円筒状の基台（１）の内外周面を貫通する
孔（１５）を設け、その前記孔（１５）に鍵突起棒（１６）が内周方向に向くように押
し込み錠（１７）を装着すると共に前記可動扉（６）が固定壁（８）に対して全閉と成
る円周方向の任意の部位であって、前記円筒状の接続リング（４）の外周面に前記鍵突
起棒（１６）の挿入口（１８）を設け、施錠機能を施す。ショーケースの土台と成る前
記円筒状の基台（１）及び固定台（７）を、金属製・木製・樹脂製、などの素材を用い
て施し、前記円筒状の接続リング（４）の上には半円筒状の透明素材からなる前記可動
扉（６）が、それぞれ、接合されており、一方、前記転動体押えレール（３）と前記円
筒状の接続リング（４）と連結した、前記可動扉（６）のそれぞれの内周面に近接して
前記円形状の基台（１）下部に前記固定台（７）が固設され、更に、前記固定台（７）
上には前記可動扉（６）の内周面に近接して半円筒状の透明素材からなる前記固定壁（８）を立設し、その前記固定壁（８）の上端に円形天井（９）を設けて、半円筒状の前記可動扉（６）のみを、自立式に固定させ、回転させた事を特徴とする回転扉付ショーケースである。
【００１８】
以下、図面に基づいて本発明の実施例を詳細に説明する。
【００１９】
図１は、本発明の可動扉（６）の全開時状態を示す、斜視図である。
ショーケースの土台は、円筒状の基台（１）で、この実施例では木製であるが、その他
金属製、などの素材を用いても良い。前記円筒状の基台（１）の内周面と、同素材の固
定台（７）の外周面に隣接する中間部に位置する、空間に金属製の円筒状の接続リング
（４）設けて、その上に透明素材からなるガラスの半円筒状の可動扉（６）を、接合す
る事により前記円筒状の基台（１）の上に固設した、透明素材のガラスを半円筒状の固
定壁（８）と、その上部に同素材の円形天井（９）を施した、ショーケースの収納室の
外周を回転する事によって、透明のガラス素材で、半円筒状の前記可動扉（６）に施し
た、円筒状の形態に施した、ショーケースを表す。なお、円形天井（９）は、実施例で
は透明ガラスを用いたが、木材や不透明なプラスチックであっても良い。
【００２０】
図２は、本発明の可動扉（６）の半開状態を、又、図３は、前記可動扉（６）の全閉状
態を表し、それぞれ斜視図で、円筒状の形態を施した、ショーケースを表す。
【００２１】
図４は、本発明の各部材を分解した状態の斜視図である。  
最下位を昇降順位の１段目として、位置付けて、ショーケースの土台と成る、円筒状の
基台（１）は、木製素材を用いて施し、外周に押し込み錠（１７）内面に、開口（１０）
を有する停止装置用の収納庫（１３）を設け、内部に停止装置を担う、金属製のボール
（１２）を押し出すスプリング（１１）を設置し、金属製の円筒状の接続リング（４）
の外周に設けたボール止め凹部（１４）に前記スプリング（１１）よって、押し出され
た前記ボール（１２）より、透明ガラスの素材で施した、前記可動扉（６）を、停止さ
せ、施錠装置を担う、前記押し込み錠（１７）の先端である、鍵突起棒（１６）が、前
記円筒状の接続リング（４）の外輪から内輪に貫通した挿入口（１８）に差し込まれる
事により、施錠機能を施した。又、土台の底面に、底蓋（１９）を設けて、ショーケー
スの土台を担う、前記円筒状の基台（１）を水平に設置する事を可能に出来る調整用の
脚と成るアジャスター（２０）を施した事を表す。
【００２２】
２段目は、回転体で、前記円筒状の基台（１）内部でかつ底面に、底蓋（１９）を固設
させる、ナット（２２）と、ビス（２５）を用いて、固設させる金属製の円筒状の転動
体受けレール（２）、その上部に被さる金属製の転動体押えレール（３）、との中間に位
置する凹部に、前記転動体押えレール（３）の上部に、転動体（５）である、球の挿入
口（２３）を設け、そこから転動体（５）と成す、球を敷き詰めて挿入後に、玉の挿入
口用の蓋（２４）で、密閉する事により、回転体としての機能を形成した事を表す。
【００２３】
３段目は、前記可動扉（６）で、前記転動体押えレール（３）の上部にナット（２２）
を設け、その部位に、前記円筒状の接続リング（４）の底面に設けたボルト（２１）を
突起させ、接合させる事により、前記円筒状の接続リング（４）の上部に固設した、透
明素材からなるガラスの半円筒状の前記可動扉（６）を、回転体としての機能を施し、
前記円筒状の接続リング（４）の外周に、回転停止装置の役割を担う、ストッパーと成
す、前記ボール止め凹部（１４）を設けて、更に、施錠装置の役割を担う、外輪から内
輪に貫通した前記鍵突起棒（１６）の前記挿入口（１８）を設けて、施錠機能を果たす
と共に、対角線上の任意に設けた、回転停止装置としての役割も果たす事で、停止装置
と施錠機能を兼ね備えて、施した事を表す。
【００２４】
最上位である４段目は、前記固定台（７）で、底面に接合させるビス（２６）を設けて、
前記円筒状の基台（１）の底面である、底蓋（１９）に固設させ、固定台（７）の上部
に透明素材のガラスを半円筒状の固定壁（８）と、その上部に同素材の円形天井（９）
を施し、円筒形態をした、収納室のショーケースを表す。
【００２５】
図５は、本発明の平面図で、図１１である正面断面図のＡ〜Ａ´線断面と成る位置を示
す、円筒状の基台（１）を木製、金属製、などの素材を用いて施し、内面側に、開口（１
０）を有する停止装置用の収納庫（１３）を設け内部に停止装置を担う、ボール（１２）
を押し出すスプリング（１１）設置する事で、その前記ボール（１２）が押し出され、
内周面の中央に固設された、固定台（７）と、その外周面に隣接する箇所に円筒状の空
間を確保された部位に、円筒状の接続リング（４）を装着して、前記固定台（７）の外
周を、３６０度、左右自由に回転する事により、外周面に絶えず接触して、前記円筒状
の接続リング（４）の外周に設けた、ボール止め凹部（１４）や挿入口（１８）に、前
記スプリング（１１）よって、押し出された前記ボール（１２）が、その前記ボール止
め凹部（１４）に、納まる事で、回転を停止させ、前記円筒状の接続リング（４）の上
に固設した可動扉（６）に、停止装置の機能を担う効果を果し、前記ボール止め凹部（１
４）を拾う場合は、前記可動扉（６）の全閉時状態で、又、対角線状に設けた、前記挿
入口（１８）を拾う場合につまり、図５の平面図で示す通り、前記可動扉（６）の全開
時状態の役割を果たす。
【００２６】
又、停止装置の機能が、作動時において、前記円筒状の基台（１）の内外周面を貫通す
る孔（１５）を設け、その前記孔（１５）に鍵突起棒（１６）が内周方向に向くように、
押し込み錠（１７）を装着すると共に、前記可動扉（６）が固定壁（８）に対し全閉と
なる円周方向の任意の部位であって、前記円筒状の接続リング（４）の外周面に前記鍵
突起棒（１６）の挿入口（１８）を設けて、前記可動扉（６）の施錠機能を施す。
前記固定台（７）の上に、透明素材のガラスで半円筒状の固定壁（８）設け、その上に
同素材の円形天井（５）を施し、その固定壁（８）の外周に隣接する可動扉（６）も又、
透明素材のガラスで半円筒状に施した、扉の全開時を表す。
【００２７】
図６は、本発明の底面図で、図５と同様の可動扉（６）の全開時を表し、円筒状の基台
（１）を木製、金属製、などの素材を用いて施し、裏面の底蓋（１９）に水平調整の脚
と成るアジャスター（２０）を設け、前記円筒状の基台（１）の内部に回転体を形成す
る、円筒状の転動体受けレール（２）、その上部に被さる、転動体押えレール（３）、と
の中間に位置する凹部に、転動体（５）と成る球を一定量、敷き詰める事により、接合
された、円筒状の接続リング（４）を装着して、固定台（７）の外周を、３６０度、左
右自由に回転する事で、前記可動扉（６）に、回転機能を用いた事を表す。
前記円筒状の基台（１）の内周に位置する、円筒状の破線は、前記転動体受けレール（２）
及び、前記転動体押えレール（３）を表し、球体の破線は、その内部の前記転動体（５）
と成る球を表している。更に、円筒状の前記転動体受けレールの（２）の内径で、つま
りは、同円周上の中心位置で、円筒状の破線は、前記固定台（７）を表す。
【００２８】
○印で囲ったＣ部は、前記可動扉（６）の施錠装置を表し、前記円筒状の基台（１）の
内外周面を貫通する孔（１５）を設け、その前記孔（１５）に鍵突起棒（１６）が内周
方向に向くように、押し込み錠（１７）を装着させ、円筒状の接続リング（４）の外輪
から内輪に貫通した挿入口（１８）に、差し込まれる事で、施錠機能の役割を果たす。
図１４（ａ）に拡大図を示す。
【００２９】
○印で囲ったＤ部は、前記可動扉（６）の停止装置を表し、前記円筒状の基台（１）の
内面に前記開口（１０）を有する停止装置用の前記収納庫（１３）を設け内部に停止装
置を担う、金属の前記ボール（１２）を押し出す金属の前記スプリング（１１）設置し、
前記円筒状の接続リング（４）を金属で施し、その外周に設けたボール止め凹部（１４）
に前記スプリング（１１）よって、押し出された前記ボール（１２）より、前記可動（６）
を停止させるストッパーを設け、停止機能の役割を果たす。図１４（ｂ）に拡大図を示
す。
【００３０】
図７は、本発明の正面図で、円筒状の基台（１）をこの実施例では木製としたが、その
他金属製、などの素材を用いて施し、下部に水平装置の役割を担うアジャスター（２０）
を施し、前記円筒状の基台（１）及び、内部に固定台（７）を木製の素材で施して、正
面中央の外周に、可動扉（６）の施錠装置を成す金属製の押し込み錠（１７）を表し、
前記円筒状の基台（１）及び、内部に前記固定台（７）を木製の素材で施し、上部に固
設された半円筒状の固定壁（８）と、その上に円形天井（９）を透明のガラス素材で施
し、同素材で施した、半円筒状の前記可動扉（６）が、半円筒状の固定壁（８）の外周
を回転させる為に、円形天井（９）下端と、前記可動扉（６）の上端とに、一定の隙間
を確保させる。前記可動扉（６）は、全開時で、右上がりの曲線部分は、面の凹部を表
すと共に、実線は、手前の前記固定壁（８）で、破線は、奥の可動扉（６）を表す。
【００３１】
図８は、本発明の背面図で、円筒状の基台（１）を木製、金属製、などの素材を用いて
施し、下部に水平装置の役割を担うアジャスター（２０）を施し、前記円筒状の基台（１）
及び、内部に固定台（７）を木製の素材で施し、上部に固設された半円筒状の固定壁（８）と、その上に円形の天井（９）を透明のガラス素材で施し、同素材で施した、半円筒状の可動扉（６）が、半円筒状の固定壁（８）の外周を回転させる為に、円形天井（９）下端と、前記可動扉（６）の上端とに、一定の隙間を確保させる。
前記可動扉（６）は、全開時で、左上がりの曲線部分は、面の凸部を表すと共に、実線
は、手前の前記可動扉（６）で、破線は、奥の前記固定壁（７）を表す。
【００３２】
図９は、本発明の右側面図を表し、円筒状の基台（１）を木製、金属製、などの素材を
用いて施し、下部に水平装置の役割を担うアジャスター（２０）を施し、前記円筒状の
基台（１）及び、内部に固定台（７）を木製の素材で施し、上部に固設された半円筒状
の固定壁（８）と、その上に円形天井（９）を透明のガラス素材で施し、同素材で施し
た、半円筒状の可動扉（６）が、半円筒状の前記固定壁（８）の外周を回転させる為に、
円形天井（９）と、一定の隙間を保持させた。半円筒状の前記固定壁（８）の外周に半
円筒状の前記可動扉（６）が背面側に重なる。つまり右側面図で示す通り、右に重なり
合っている状態を表す。前記円筒状の基台（１）の正面側つまり右側面図で示す通り、
左側に位置する所で、前記可動扉（６）の施錠装置を成す金属製の押し込み錠（１７）
を表し、円筒状の基台（１）及び、内部に前記固定台（７）を木製の素材で施し、上部
に固設された半円筒状の前記固定壁（８）と、その上に前記円形天井（９）を設け、前
記固定壁（８）の外周を回転させる為に、円形天井（９）の下端と、前記可動扉（６）
の上端に、一定の隙間を確保させる。半円筒状の前記可動扉（６）を透明のガラス素材
で施し、前記可動扉（６）は、全開時で、左上がりの曲線部分は、面の凸部を表すと共
に、実線は、手前の前記可動扉（６）で、破線は、奥の前記固定壁（７）を表す。
【００３３】
図１０は、本発明の左側面図を表し、図９の対称面で有り、可動扉（６）は、全開時で、
左上がりの曲線部分は、面の凸部を表すと共に、実線は、手前の前記可動扉で、破線は、
奥の前記固定壁を表す。
【００３４】
図１１は、本発明の正面断面図で、図５のＡ〜Ａ´線断面を表し、右上がりの曲線部分は、面の凹部を表すと共に、実線は、手前の固定壁（８）で、破線は、奥の可動扉（６）
を表し、クロス線部は、透明素材から成る、円形天井（９）、前記固定壁（８）、前記可
動扉（６）のガラス断面を表し、傾斜線は、木製、金属製、などの素材から成る、円筒状の基台（１）、固定台（７）、の断面を表して、球体の破線は、金属製を用いた転動体（５）と成す、球の断面を表し、円筒状の基台（１）の中央部、つまり内面に開口（１
０）を有する、収納庫（１３）を設けて、ボール（１２）、スプリング（１１）、を収納
する事で、停止装置を用いた事を表す。
【００３５】
図１２は、本発明の右側面断面図で、図７のＢ〜Ｂ´線断面を表し、楕円印で囲ったＥ
部は、図１５で表す、円筒状の基台（１）の断面で、一部を破断した拡大図の箇所を示
す。左上がりの曲線部分は、面の凸部を表すと共に、実線は、手前の可動扉（６）で、
破線は、奥の固定壁（８）を表し、クロス線部は、透明素材からなる、円形天井（９）、
固定壁（８）、可動扉（６）のガラス断面を表し、傾斜線は、木製、金属製、などの素
材から成る、円筒状の基台（１）、固定台（７）、の断面を表して、球体の破線は、金属
製を用いた転動体（５）と成す、球の断面を表す。
【００３６】
図１３は、本発明の右側面断面で図７のＢ〜Ｂ´線断面の詳細図を表し、図１２の一部
破断した拡大図を示し、クロス線部は、透明素材から成る、円形天井（９）、固定壁（８）、可動扉（６）のガラス断面を表し、傾斜線は、木製、金属製、などの素材からなる、円筒状の基台（１）、固定台（７）、の断面を表して、球体の破線は、金属製を用いた転動体（５）と成す、球の断面を表す。
【００３７】
又、可動扉（６）の点線は、扉の閉時を行った位置を表す。円筒状の基台（１）の内部
構造の断面詳細図で、前記円筒状の基台（１）の内部には、転動体受けレール（２）、
転動体押えレール（３）から成る、回転の転動体を用いて、その内部に、転動体（５）
と成る球を一定量、敷き詰める事により、連結され、固定台（７）の上部に位置する固
定壁（８）の外周面つまり、円筒状の接続リング（４）を回転させ、その上部の前記可
動扉（６）を円回転し、扉の開閉を行う、更に前記円筒状の基台（１）の内周面に任意
の開口（１０）を有する収納庫（１３）を設け、その収納庫内にスプリング（１１）と
ボール（１２）からなる前記可動扉（６）のストッパーを装着し、前記ボール（１２）
の一部を開口（１０）から前記円筒状の接続リング（４）の外周に前記ボール止め凹部
（１４）を設けて、停止装置機能を表す。
【００３８】
更に、前記円筒状の基台（１）の内外周面を貫通する孔（１５）を設け、その前記孔（１
５）に鍵突起棒（１６）が内周方向に向くように押し込み錠（１７）を装着すると共に
前記可動扉（６）が前記固定壁（８）に対して全閉と成る円周方向の任意の部位であっ
て、前記円筒状の接続リング（４）の外周面に前記鍵突起棒（１６）の挿入口（１８）
を設け、施錠機能を表す。
【００３９】
図１４は、本発明で、（ａ）は、図６底面図で、○印で囲った、Ｃの箇所を示し、施錠
装置の詳細拡大図を表す。可動扉（６）の施錠装置を表し、円筒状の基台（１）の内外
周面を貫通する孔（１５）を設け、その孔（１５）に鍵突起棒（１６）が、内周方向に
向くように、押し込み錠（１７）を装着させ、円筒状の接続リング（４）の外輪から内
輪に貫通した挿入口（１８）に差し込まれる事で、施錠機能の役割を果たす。
【００４０】
図１４は、本発明で、（ｂ）は、図６底面図で、○印で囲った、Ｄの箇所を示し、停止
装置の詳細拡大図を表す。前記可動扉（６）の停止装置を表し、前記円筒状の基台（１）
の内面に開口（１０）を有する停止装置用の収納庫（１３）を設け内部に停止装置を担
う、金属のボール（１２）を押し出すのスプリング（１１）設置し、前記円筒状の接続
リング（４）を金属で施し、その外周に設けたボール止め凹部（１４）に、スプリング
（１１）よって、前記押し出されたボール（１２）より前記可動扉（６）を停止させる
ストッパーを設け、停止機能の役割を果たす。
【００４１】
図１５は、本発明で、図７で、正面図Ｂ〜Ｂ´線断面の詳細図の構造を表し、図１２の
円筒状の基台（１）の内部構造の楕円印で囲った、Ｅ部の一部破断した拡大図を示し、
回転体である円筒状の接続リング（４）と転動押えレール（２）、転動体（５）に球を
用いて敷き詰め、転動体受けレール（３）が、前記円筒状の基台（１）に内蔵固定し、
可動扉（６）が任意の全閉でストッパーが働き、施錠した状態を表す。
傾斜線は、木製、金属製、などの素材からなる、円筒状の基台（１）、固定台（７）、の
断面を表して、球体の破線は、金属製を用いた転動体（５）で有る、球の断面を表す。
【００４２】
図１６は、本発明で、（ａ）は、図１５の円筒状の基台（１）で、図１２の内部構造の
（Ｅ）部の一部、破断した拡大図を表し、球体の破線は、金属製を用いた転動体（５）
と成す、球の断面を表す。
【００４３】
又、上段は、可動扉（６）を回転させる為の円筒状の接続リング（４）と、中段は、転
動体押えレール（２）連結及び、転動体（５）と成る球を一定量に敷き詰めて、下段は、
転動体受けレール（３）と前記円筒状の基台（１）の底蓋（１９）の連結の構造を表し、
前記転動体（５）を境にした、分解図を表す。
【００４４】
図１６は、本発明で、（ｂ）は、図１５の前記円筒状の基台（１）で、図１２の内部構
造の（Ｅ）部の一部、破断した拡大図を表し、球体の破線は、金属製を用いた転動体（５）と成す、球の断面を表す。
【００４５】
又、前記転動体押えレール（３）の挿入口（２３）から、転動体（５）と成る球を一定
量に、敷き詰め、球の挿入口用蓋（２４）を、する事で、前記転動体受けレール（３）
と、接合させ回転体としての連結図を表す。
【産業上の利用可能性】
【００４６】
本発明は、展示品、商品、陳列ケースにおいて、貴重な陳列物を安全に保存し、臨場感を保持して、鑑賞出来る事を目的とした回転扉付ショーケースの構造に関するものである。
【符号の説明】
【００４７】
１      円筒状の基台  
２      転動体受けレール
３      転動体押えレール
４      円筒状の接続リング
５      転動体  （玉）
６      可動扉  
７      固定台  
８      固定壁  
９      円形天井
１０    開口  
１１    スプリング
１２    ボール    
１３    収納庫
１４    ボール止め凹部（円筒状の接続リング）
１５    施錠装置の孔
１６    鍵突起棒  
１７    押し込み錠  
１８    挿入口  （円筒状の接続リング）
１９    底蓋  
２０    アジャスターとビス
２１    ボルト
２２    ナット
２３    球の挿入口（転動体の入口）
２４    球の挿入口用の蓋（転動体の入口用蓋）
２５    ビス（転動体受けレール用）
２６    ビス（底蓋用）
【図１】
2014073189.tif 000003
【図２】
2014073189.tif 000004
【図３】
2014073189.tif 000005
【図４】
2014073189.tif 000006
【図５】
2014073189.tif 000007
【図６】
2014073189.tif 000008
【図７】
2014073189.tif 000009
【図８】
2014073189.tif 000010
【図９】
2014073189.tif 000011
【図１０】
2014073189.tif 000012
【図１１】
2014073189.tif 000013
【図１２】
2014073189.tif 000014
【図１３】
2014073189.tif 000015
【図１４】
2014073189.tif 000016
【図１５】
2014073189.tif 000017
【図１６】
2014073189.tif 000018